(57)【要約】【課題】複雑化する筐体の収納部に収納できるように複数の極細同軸ケーブルの束ね形状を作る。【解決手段】極細同軸ケーブル９の束ねシート部材１は、シート材５の一面に、束ねるべき複数の極細同軸ケーブル９の最外層と粘着しない系統の粘着剤層７を設けた粘着シート３と、この粘着シート３に、当該粘着シート３の幅方向で前記粘着剤層７を内側にして、ケーブル収納溝２５の断面に収納可能な大きさ以下の多角形状の断面になるように重ね代１９を備えて前記粘着シート３を折曲げ可能に設けた複数の折曲げ線部２１と、で構成されている。【選択図】図１
2006262678.tif 000002
【特許請求の範囲】
【請求項１】
シート材の一面に、束ねるべき複数の極細同軸ケーブルの最外層と粘着しない系統の粘着剤層を設けた粘着シートと、
この粘着シートに、当該粘着シートの幅方向で前記粘着剤層を内側にして、ケーブル収納溝の断面に収納可能な大きさ以下の多角形状の断面になるように重ね代を含めて前記粘着シートを折曲げ可能に設けた複数の折曲げ線部と、
で構成されていることを特徴とする極細同軸ケーブルの束ねシート部材。
【請求項２】
前記折曲げ線部が、断続した多数のスリットで構成されていることを特徴とする請求項１記載の極細同軸ケーブルの束ねシート部材。
【請求項３】
請求項１記載の束ねシート部材のシート材を両端の折り曲げ線部を残して折り曲げ線部から折り曲げて溝型に成形し、その溝内に所定数の極細同軸ケーブルを収納し、その後、残りの折り曲げ線部から折り曲げて両者を重ね合わせ貼着して多角形の箱型とすることを特徴とする極細同軸ケーブルの束ね方法。
【請求項４】
極細同軸ケーブルを請求項１記載の束ねシート部材で束ねたことを特徴とする極細同軸ケーブルの束ね構造。
【発明の詳細な説明】
【技術分野】
【０００１】
この発明は、極細同軸ケーブルの束ねシート部材及び極細同軸ケーブルの束ね方法並びに極細同軸ケーブルの束ね構造に関し、特に携帯電話、デジタルカメラ、ＰＤＡ、ＭＤ，ＣＤプレーヤ等の配線材として用いられる極細同軸ケーブルを極細同軸ケーブルアセンブリとして束ねるための極細同軸ケーブルの束ねシート部材及び極細同軸ケーブルの束ね方法並びに極細同軸ケーブルの束ね構造に関する。
【背景技術】
【０００２】
近年、携帯電話、デジタルカメラ、ＰＤＡ、ＭＤ，ＣＤプレーヤ等の電子機器内の配線材として極細同軸ケーブルを使用するケースが増えてきている。複数の極細同軸ケーブル１０１は、図６に示されているように、ばらけないように束ね部材１０３により極細同軸ケーブルアセンブリ１０５として束ねられた後に、上記の電子機器の筐体１０７のスペース１０９を利用して配線されている。
【０００３】
従来、極細同軸ケーブル１０１の束ね部材１０３としては、テープ材料からなる束ねテープが用いられている。例えば、複数本の極細同軸ケーブル１０１を束ねて、すなわち平面状に、且つ平行に配列すると共に、そのケーブル群の両面に、長手方向に所定ピッチで束ねテープを貼り付けて平行固着部と非固着部とを交互に有する同軸ケーブルユニットを形成し、この同軸ケーブルユニットを複数ユニット撚り合わせている。上記の束ねテープとしては、例えばポリエステルフィルムの片面にアクリル系、合成ゴム系の粘着層が設けられている（例えば、特許文献１参照）。
【０００４】
また、束ねテープによる他の巻き付け方法としては、図１０に示されているように、複数の極細同軸ケーブル１０１に沿って束ねテープ１０３（束ね部材）を巻いていくものであり、複数の極細同軸ケーブル１０１の束ねの最終形状は自然にほぼ円形状となる。束ねテープ１０３で自然に巻き付けることにより、最小の束ね径となる。なお、束ねテープ１０３（束ね部材）としては、例えばテープ材１１１の片面に粘着剤層１１３が設けられているものである。
【０００５】
また、一般の同軸ケーブルには、例えば敷設作業の手間と煩雑さを解消するために配線具が用いられている。例えば、配線具としては、当該配線具の長手方向に延びた面に沿って同軸ケーブルを収納する溝が設けられており、さらに前記配線具の長手方向に、別の同軸ケーブルを収納する切欠き溝が設けられている。あるいは、前記配線具の長手方向に沿って同軸ケーブルを収納する断面凹状の溝が設けられると共にこの溝を被蓋するカバーが設けられている。複数の同軸ケーブルは上記の各溝や切欠き溝、凹状の溝に容易に収納することができるものである（例えば、特許文献２参照）。
【特許文献１】特開２００３−２２９０３０号公報
【特許文献２】特開２００４−９６８０２号公報
【発明の開示】
【発明が解決しようとする課題】
【０００６】
ところで、近年、前述した種々の電子機器はモジュールのコンパクト化に伴って、極細同軸ケーブル１０１の配線に許されるスペース１０９は狭くなり、筐体１０７の複雑化に伴ってそのスペース１０９の形状は複雑化している。例えば、電子機器の筐体１０７における配線用のスペース１０９としては、図１０に示されているように、溝幅が例えば２ｍｍで、深さが例えば５ｍｍの断面矩形状の溝部１１５からなる。
【０００７】
外径φが例えば０．３ｍｍである極細同軸ケーブル１０１の例えば４０本を上記の配線スペース１０９に配線するには、筐体１０７の組立てを容易にするために、上記の４０本の極細同軸ケーブル１０１を束ねる必要がある。
【０００８】
通常、外径φが０．３ｍｍの極細同軸ケーブル１０１を平面状に、且つ平行に一列に並べると、図７に示されているように全幅Ｌが１２ｍｍとなる。従来の特許文献１に示されている方法では、４０本の極細同軸ケーブル１０１を上記の平面状の配列で束ねテープ１０３（束ね部材）により平らに安定して巻くことは難しく、しかも、図８に示されているように、安定した幅で量産化することは難しいという問題点があった。
【０００９】
そこで、前述した従来のテープ巻き方法で、図９及び図１０に示されているように４０本の極細同軸ケーブル１０１を束ねて束ねテープ１０３でテープ巻きを行い、極細同軸ケーブルユニット化して極細同軸ケーブルアセンブリ１０５を形成すると、この極細同軸ケーブルアセンブリ１０５の断面が自然に円形状になる。しかし、束ねテープ１０３のテープ厚もあるので、図１０に示されているようにその最大外形は直径２ｍｍの円より大きくなってしまう。
【００１０】
以上のように、複数本の極細同軸ケーブル１０１を束ねテープ１０３で自然に巻くと丸くなるために、図１０に示されているように、その最大外形が筐体１０７の配線スペース１０９の溝部１１５内に入らなくなる大きさになってしまうという問題点があった。
【００１１】
また、従来の特許文献２に示されているような配線具では、上述したような形状が複雑で狭い配線スペース１０９には適用できないものである。
【００１２】
この発明は上述の課題を解決するためになされたものである。
【課題を解決するための手段】
【００１３】
この発明の極細同軸ケーブルの束ねシート部材は、  シート材の一面に、束ねるべき複数の極細同軸ケーブルの最外層と粘着しない系統の粘着剤層を設けた粘着シートと、この粘着シートに、当該粘着シートの幅方向で前記粘着剤層を内側にして、ケーブル収納溝の断面に収納可能な大きさ以下の多角形状の断面になるように重ね代を含めて前記粘着シートを折曲げ可能に設けた複数の折曲げ線部と、で構成されていることを特徴とするものである。
【００１４】
また、この発明の極細同軸ケーブルの束ねシート部材は、前記極細同軸ケーブルの束ねシート部材において、前記折曲げ線部が、断続した多数のスリットで構成されていることが好ましい。
【００１５】
この発明の極細同軸ケーブルの束ね方法は、請求項１記載の束ねシート部材のシート材を両端の折り曲げ線部を残して折り曲げ線部から折り曲げて溝型に成形し、その溝内に所定数の極細同軸ケーブルを収納し、その後、残りの折り曲げ線部から折り曲げて両者を重ね合わせ貼着して多角形の箱型とすることを特徴とするものである。
【００１６】
また、この発明の極細同軸ケーブルの束ね構造は、極細同軸ケーブルを請求項１記載の束ねシート部材で束ねたことを特徴とするものである。
【発明の効果】
【００１７】
以上のごとき課題を解決するための手段から理解されるように、この発明の極細同軸ケーブルの束ねシート部材によれば、折曲げる位置に折曲げ線部が設けられているので、その幅方向で粘着剤層を内側にして折曲げ線部で重ね代の部分を備えて簡単に折り曲げることができる。折曲げられると、幅方向の折曲げ断面形状がケーブル収納溝の断面に収納可能な大きさ以下の多角形状の断面になる。
【００１８】
しかも、束ねシート部材の粘着剤層の側に複数の極細同軸ケーブルを収納してから、前記重ね代の部分の粘着シートを粘着剤層で貼着するとき、束ねシート部材の粘着剤層が極細同軸ケーブルを粘着しない粘着剤であるので、複数の極細同軸ケーブルは粘着剤層に粘着されることなく自由に移動するため、複数の極細同軸ケーブルを束ねシート部材の断面多角形状内に容易に押圧して収納できる。
【００１９】
したがって、束ねシート部材で束ねられた複数の極細同軸ケーブルを、収納すべき収納部内に確実に且つ容易に収納できる。
【００２０】
この発明の極細同軸ケーブルの束ね方法によれば、束ねシート部材の幅方向で粘着剤層を内側にして折曲げ線部で重ね代の部分を備えて簡単に折り曲げることができる。しかも、複数の極細同軸ケーブルを収納してから、前記重ね代の部分の粘着シートを粘着剤層で貼着するとき、束ねシート部材の粘着剤層が極細同軸ケーブルの最外層を粘着しない粘着剤であるので、複数の極細同軸ケーブルを束ねシート部材の断面多角形状内に容易に押圧して収納できる。このとき、折曲げられる束ねシート部材は、その幅方向の折曲げ断面形状が収納すべき収納部の断面に収納可能な大きさ以下の多角形状の断面になるので、収納すべき収納部内に確実に且つ容易に収納できる。
【００２１】
この発明の極細同軸ケーブルの束ね構造によれば、従来よりも容易に使用することができる。
【発明を実施するための最良の形態】
【００２２】
以下、この発明の実施の形態について図面を参照して説明する。
【００２３】
図１（ａ），（ｂ），（ｃ）を参照するに、この実施の形態に係る極細同軸ケーブルの束ねシート部材１としては、粘着シート３は、厚さが例えば５０μｍのＰＥＴ基材からなるシート材５と、このシート材５の片面に塗布した厚さが例えば４０μｍの粘着剤層７とから構成されている。
【００２４】
なお、上記の粘着剤層７は、アクリル系粘着剤であり、束ねるべき複数（この実施の形態では４０本）の極細同軸ケーブル９を粘着しない系統の粘着剤としている。
【００２５】
ちなみに、この実施の形態で用いられる各極細同軸ケーブル９の構造としては、図２に示されているように、例えば直径０．０２５ｍｍ又は０．０３ｍｍφの７本の断面円形の中心導体１１が撚られており、この中心導体１１の外周にフッ素系樹脂としての例えばテフロン（登録商標）樹脂の絶縁層１３が施されており、この絶縁層１３の外周が例えば直径０．０２５ｍｍ又は０．０３ｍｍφの２５本の断面円形の外部導体１５が撚られた状態でシールドされ、さらに前記外部導体１５の外周がフッ素系樹脂としての例えばテフロン（登録商標）樹脂のジャケット１７で被覆されている。
【００２６】
したがって、上記の極細同軸ケーブル９は、最外層のジャケット１７がテフロン（登録商標）樹脂で構成されているので、前記粘着剤層７にはこのテフロン樹脂を粘着しないアクリル系粘着剤が用いられている。しかし、例えば、もし粘着剤層７がシリコン系粘着剤であれば極細同軸ケーブル９が粘着されることになる。
【００２７】
再び図１（ａ），（ｂ），（ｃ）を参照するに、上記の束ねシート部材１を構成する粘着シート３には、当該粘着シート３の幅方向で前記粘着剤層７を内側にして長方形の断面形状となるように、重ね代１９の部分を含めて折曲げ可能にする４本の折曲げ線部としての例えばミシン目２１、つまり多数の断続的なスリットが設けられている。ミシン目２１の位置は、粘着シート３を折曲げて形成される長方形の断面形状の大きさが、図３に示されているように、例えば電子機器の筐体２３において複数の極細同軸ケーブル９を収納すべき収納部としての例えば溝部２５の断面に収納可能な大きさ以下の断面となるように配置されている。
【００２８】
すなわち、この実施の形態では、収納すべき溝部２５（収納部）の断面が、図３に示されているように溝幅が例えば２ｍｍで、深さが例えば５ｍｍの断面四角状の溝部２５であるので、粘着シート３の展開平面におけるミシン目２１の位置は、図１（ａ）に示されているように、折曲げた長方形の断面形状の大きさが幅方向の寸法Ａを例えば１．7mmとし、深さ方向の寸法Bを例えば４．０ｍｍとなるように配置されている。また、長さ方向の寸法Ｌは、適宜任意の長さとすることができる。
【００２９】
したがって、粘着シート３が上記のミシン目２１で折曲げられて重ね代１９の部分で粘着剤層７を介して粘着して断面長方形の箱形に形成されると、幅方向の外形寸法は重ね代１９の部分で１．９７ｍｍとなり、深さ方向の外形寸法は４．１８ｍｍとなるので、溝幅が例えば２ｍｍで、深さが例えば５ｍｍの溝部２５内に収納可能となる。
【００３０】
なお、前述した実施の形態の束ねシート部材１は、長方形状の断面に折曲げられるように、重ね代１９の部分を備えて４本の折曲げ線部としてのミシン目２１が設けられているが、図４に示されているように折曲げられる断面形状が三角形となる束ねシート部材２７、あるいは図５に示されているように折曲げられる断面形状が他の四角形状となる束ねシート部材２９、あるいは五角形、あるいはその他の多角形状の断面となるものであっても構わない。ただし、折曲げ形成された断面形状の大きさは、筐体２３の収納すべき収納部である溝部２５内に収納可能な大きさ以下の断面になることが条件である。
【００３１】
また、上記の束ねシート部材１は、例えば粘着シート３の粘着剤層７の全面に図示しない剥離紙（あるいは剥離フィルム）を設け、この剥離紙付の粘着シート３を抜き加工して束ねシート部材１の展開形状を決めることができる。なお、上記の抜き加工を行うときは、例えば櫛刃を使って多数の断続したスリット加工を行って折曲げ線部にミシン目２１を設けることができる。その結果、折曲げ位置を安定化させることができる。
【００３２】
なお、上記の折曲げ線部は、この実施の形態では多数の断続的なスリットからなるミシン目２１であるが、断面がＵ字状や他の形状の凹み部、あるいは他の形態の折曲げ線部であっても構わない。例えば、粘着剤層７の全面に剥離紙を設けた粘着シート３を折曲げ位置で折曲げ加工を行うことにより、上記のような凹み部を設けることができる。
【００３３】
上記構成により、束ねシート部材１は、折曲げる位置に折曲げ線部としての例えばミシン目２１が設けられているので、このミシン目２１で簡単に折り曲げることができる。つまり、束ねシート部材１は、図１（ｃ）に示されているように、その幅方向で粘着剤層７を内側にして４つのミシン目２１で重ね代１９の部分を含めて折曲げられると、幅方向の折曲げ断面形状が長方形となる。
【００３４】
しかも、束ねシート部材１は剥離紙（又は剥離フィルム）を剥がしても折り曲げられた形状を保つので、４０本の極細同軸ケーブル９を束ねてから上記の束ねシート部材１で巻き付けることが簡単である。つまり、図３に示されているように断面が長方形となるように折曲げて前記重ね代１９の部分を二点鎖線のように開いた状態にし、この束ねシート部材１の粘着剤層７の側に４０本の極細同軸ケーブル９を収納してから、前記重ね代１９の部分の粘着シート３を粘着剤層７で貼着することにより、４０本の極細同軸ケーブル９が容易に束ねられる。
【００３５】
しかも、このときの束ねシート部材１の断面形状は、極細同軸ケーブル９を収納すべき溝部２５の断面に収納可能な大きさ以下の長方形断面（１．９７ｍｍ×４．１８ｍｍ）になるので、図３に示されているように、溝幅が例えば２ｍｍで、深さが例えば５ｍｍの溝部２５内に容易に収納できる。
【００３６】
このとき、束ねるべき４０本の極細同軸ケーブル９の最外層であるジャケット１７がテフロン（登録商標）樹脂であり、束ねシート部材１の粘着剤層７がテフロン樹脂を粘着しないアクリル系粘着剤であるので、４０本の極細同軸ケーブル９は粘着剤層７に粘着されることなく自由に移動して、図３に示されているように束ねシート部材１の断面長方形内に容易に押圧されて収納できる。
【００３７】
もし、４０本の極細同軸ケーブル９が粘着剤層７に粘着されると、重ね代１９の部分で粘着剤層７を介して断面長方形の箱形に形成しようとしても各極細同軸ケーブル９が互いに干渉して膨らんでしまって、上記の断面長方形にすることが難しくなる場合が生じる。そのために、４０本の極細同軸ケーブル９を束ねた束ねシート材５が溝部２５内に収納できなくなるという事態が生じ得る。
【００３８】
また、４０本の極細同軸ケーブル９を束ねた束ねシート部材１が図３の上方位置から９０°方向を変えて下方の溝部２５内に収納される際には、束ねられた４０本の極細同軸ケーブル９が断面長方形内で自由に下方へ移動することになるが、前記断面長方形が変形することがないので、４０本の極細同軸ケーブル９を束ねた束ねシート材５は溝部２５内に確実に且つ容易に収納できる。
【００３９】
つまり、筐体２３の収納部としての溝部２５の断面形状に合わせた形状に抜き加工した束ねシート部材１が用いられることにより、複雑化する筐体２３の収納部に収納できるように複数の極細同軸ケーブル９の束ね形状を作ることができる。
【００４０】
なお、束ねた４０本の極細同軸ケーブル９が筐体２３の溝部２５内に収納された場合、この溝部２５の開口側にはスペースが生じる。このスペースには別のパーツ（部材）が収納されることになる。
【００４１】
また、図４に示されているように、この実施の形態の他の束ねシート部材２７が折曲げられて三角形状の断面に形成される場合は、この三角形状の束ねシート部材２７で束ねられた複数の極細同軸ケーブル９が溝部２５内に収納された後に、溝部２５の開口側に生じるスペース３１には、例えば、さらに他の束ねシート部材２７で束ねられた複数の極細同軸ケーブル９を溝部２５内に収納したり、あるいは他のパーツ（部材）を収納することができる。
【００４２】
また、図５に示されているように、実施の形態の別の束ねシート部材２９が折曲げられて変形された四角形状の断面に形成される場合は、この四角形状の束ねシート部材２９で束ねられた複数の極細同軸ケーブル９が溝部２５内に収納された後に、溝部２５の開口側に生じるスペース３３には、例えば、前記スペース３３に合った形状の他のパーツ３５（部材）を収納することができる。
【００４３】
図３、図４及び図５に示した様な極細同軸ケーブルの束ね構造にすることで、従来よりも容易に使用することができる。
【図面の簡単な説明】
【００４４】
【図１】（ａ）はこの発明の実施の形態の束ねシート部材の展開平面図で、（ｂ）は（ａ）の束ねシート部材の断面図で、（ｃ）は（ａ）の束ねシート部材を折曲げた状態の斜視図である。
【図２】この発明の実施の形態の極細同軸ケーブルの断面図である。
【図３】図１の束ねシート部材を用いて複数の極細同軸ケーブルを束ねてから筐体の収納部へ収納するときの状態説明図である。
【図４】この発明の他の実施の形態の束ねシート部材を用いて複数の極細同軸ケーブルを束ねてから筐体の収納部へ収納したときの状態説明図である。
【図５】この発明の別の実施の形態の束ねシート部材を用いて複数の極細同軸ケーブルを束ねてから筐体の収納部へ収納したときの状態説明図である。
【図６】束ねシート部材を用いて複数の極細同軸ケーブルを束ねてから筐体の収納部へ収納するときの平面図である。
【図７】４０本の極細同軸ケーブルを平面状に配列したときの断面図である。
【図８】従来の束ねテープで複数の極細同軸ケーブルを平面状の配列で束ねたときの状態平面図である。
【図９】従来の束ねテープで複数の極細同軸ケーブルを円形状に束ねたときの状態平面図である。
【図１０】従来の束ねテープで４０本の極細同軸ケーブルを円形状に束ねてから筐体の収納部へ収納するときの状態説明図である。
【符号の説明】
【００４５】
１  束ねシート部材
３  粘着シート
５  シート材
７  粘着剤層
９  極細同軸ケーブル
１１  中心導体
１３  絶縁層
１５  外部導体
１７  ジャケット
１９  重ね代
２１  ミシン目（折曲げ線部）
２３  筐体
２５  溝部（収納部）
【図１】
2006262678.tif 000003
【図２】
2006262678.tif 000004
【図３】
2006262678.tif 000005
【図４】
2006262678.tif 000006
【図５】
2006262678.tif 000007
【図６】
2006262678.tif 000008
【図７】
2006262678.tif 000009
【図８】
2006262678.tif 000010
【図９】
2006262678.tif 000011
【図１０】
2006262678.tif 000012